(57)【要約】【課題】雄ルアーのチップの内径が小の場合にも、雄ルアーを医療用弁に接続可能とする。【解決手段】上下両端が開口する中空状のハウジング１と、弾性シール２を有し、ハウジング１内の上部が、雄ルアー２９のチップ３０が挿脱自在に挿入される接続口１０とされ、ハウジング１内における、接続口１０の下方に、下方に向かうに従って内径が大となる拡大部１３が設けられ、弾性シール２は、イ．その上部を構成し、接続口１０内に嵌合されると共に、上端面に、上方及び径方向外方に開口する液体移送路が形成された封止部２０と、ロ．封止部２０の下方に配設され、下方に向かうに従って、外径及び内径が大となる中空状とされて、下端で開口すると共に、拡大部１３内に嵌合され、拡大部１３内面と密着して、拡大部１３を閉鎖し、拡大部１３との密着部に通過孔２７が貫通形成された膜部２１を有する。【選択図】  図１
2004275472.tif 000002
【特許請求の範囲】
【請求項１】
雄ルアーが分離可能に接続される医療用弁であって、
上下両端が開口する中空状のハウジングと、弾性変形可能な弾性シールを有し、
ハウジング内の上部が、雄ルアーのチップが挿脱自在に挿入される接続口とされ、
ハウジング内における、接続口の下方に、下方に向かうに従って内径が大となる拡大部が設けられ、
弾性シールは、
イ．その上部を構成し、接続口内に嵌合されると共に、上端面に、上方及び径方向外方に開口する液体移送路が形成された封止部と、
ロ．封止部の下方に配設され、下方に向かうに従って、外径及び内径が大となる中空状とされて、下端で開口すると共に、拡大部内に嵌合され、拡大部内面と密着して、拡大部を閉鎖し、拡大部との密着部に通過孔が貫通形成された膜部
を有し、
雄ルアーのチップにより、弾性シールの封止部が下方に押圧されて、弾性シールの膜部が下方に弾性変形し、膜部における、通過孔を含む上部側が拡大部から離間して、封止部の液体移送路が、拡大部の内部及び通過孔を介して、膜部の内部と連通する医療用弁。
【請求項２】
封止部の液体移送路が、溝、又は、径方向に関して対向する一対の突起間とされた請求項１又は２記載の医療用弁。
【請求項３】
雄ルアーが分離可能に接続される医療用弁であって、
上下両端が開口する中空状のハウジングと、弾性変形可能な弾性シールを有し、
ハウジング内の上部が、雄ルアーのチップが挿脱自在に挿入される接続口とされ、
ハウジング内における、接続口の下方に、下方に向かうに従って内径が大となる拡大部が設けられ、
ハウジングに、拡大部内に上下方向に配設される軸部が設けられ、
弾性シールは、
イ．その上部を構成し、下端で開口する中空状とされて、接続口内に嵌合されると共に、上端面に、スリット状の液体移送路が形成された封止部と、
ロ．封止部の下方に配設され、下方に向かうに従って、外径が大となる中空状とされて、下端で開口し、拡大部内に嵌合されて、軸部を内有すると共に、拡大部内面と密着して、拡大部を閉鎖し、拡大部との密着部に通過孔が貫通形成された膜部
を有し、
雄ルアーのチップにより、弾性シールの封止部が下方に押圧されて、弾性シールの膜部が下方に弾性変形し、膜部における、通過孔を含む上部側が拡大部から離間すると共に、封止部が軸部に外嵌されて、封止部の上端部が軸部に押圧され、封止部の液体移送路が、上方及び径方向外方に開口すると共に、拡大部の内部及び通過孔を介して、膜部の内部と連通する医療用弁。
【請求項４】
封止部の上端部の下面の中央部に、
・  下方に突出し、雄ルアーのチップによる封止部の押圧時に、軸部と当接して、封止部の上端部の中央部を相対的に押し上げる突起
が形成された請求項３記載の医療用弁。
【請求項５】
封止部が接続口内面と密着した請求項１〜４の何れかに記載の医療用弁。
【請求項６】
弾性シールがゴム弾性材料から成る請求項１〜５の何れかに記載の医療用弁。
【請求項７】
ハウジングは、
・  その下部を構成し、上下両端が開口する中空状とされて、上端開口が拡大部内部と連通し、下端開口が液体回路に接続される接続体
を有し、
接続体内に、異物除去及び除菌作用を行なうフィルターが備えられた請求項１〜６の何れかに記載の医療用弁。
【請求項８】
接続体内に、
・  接続体を介しての液体移送前に、接続体内を閉鎖し、接続体を介しての液体移送時に、開放される閉鎖フィルム
が備えられた請求項１〜７記載の医療用弁。
【請求項９】
閉鎖フィルムが、フィルターよりも下方に配設された請求項８記載の医療用弁。
【発明の詳細な説明】
【０００１】
【発明の属する技術分野】
本発明は医療用弁に関し、液体回路、例えば、輸液バッグ、輸液ライン（ルート）の途中、体外液体回路に備えられて、微量元素、ビタミン、抗生物質等の薬液の混注、補液、追加投与等を行うための混注プラグ等において、操作者の誤穿刺等の問題から金属針を用いずに、雄ルアーの接続により混注等を行えるものに関する。
【０００２】
【従来の技術】
金属針を用いずに、輸液ラインにシリンジや他の液体回路等の雄ルアーを接続する医療用弁として、ハウジングに内蔵されたスパイク体が、弾性シールにより被覆されたものがある（例えば、特許文献１参照。）。
【０００３】
このものでは、雄ルアーのチップの押圧により、弾性シールが下方に圧縮され、スパイク体が弾性シールに挿通されて、上方に露出し、雄ルアーのチップ内に進入する。これにより、雄ルアー内部とスパイク体内部の液体移送路が、スパイク体側面の開口を介して、連通し、液体が移送可能となる。又、雄ルアーのチップによる弾性シールの押圧を解除すると、圧縮状態の弾性シールが、その弾発力により、伸長して、元の大きさに戻り、スパイク体は弾性シール内にシールされる。
【０００４】
又、医療用弁として、ハウジング内にシール部材が軸心方向に移動自在に備えられると共に、シール部材が弾性体により付勢されて、シール部材のシール面がハウジング内面のシール面と当接することで、医療用弁が開閉可能に閉鎖されるものも提案されている（例えば、特許文献２，３参照。）。
【０００５】
【特許文献１】
特表平７―５０５０６４号公報
【特許文献２】
特開平８−１６８５３５号公報
【特許文献３】
特許第２７３６３９号公報
【０００６】
【発明が解決しようとする課題】
特許文献１等において、コスト面を考慮すると、スパイク体は、通常、樹脂製とされる。ところが、上記従来においては、スパイク体内部に液体移送路が形成されて、液体移送路が、スパイク体の外周壁部により完全に被覆されているため、スパイク体の外径を小さくすると、スパイク体の外周壁部を極めて薄くする必要があり、この場合には、スパイク体を樹脂で成形することは極めて困難となる。
【０００７】
このため、スパイク体が進入する雄ルアーのチップの内径は、大である方（例えば、内径が１．５ｍｍ以上）が好ましい。然しながら、雄ルアーがガラス製シリンジで、そのチップがガラス製の場合には、成形上の問題から、チップの内径を大にすることが困難であり、この場合には、チップ内にスパイク体を進入させることができず、雄ルアーと医療用弁を接続できないとの問題があった。
【０００８】
又、特許文献２，３等では、シール面の面積が小さいために、シール性を良好に保つためには、弾性体の弾発力を強くする必要がある。しかし、このようにすると、雄ルアーにより、弾性体を圧縮して、医療用弁に接続する際に、接続が固く感じられるとの問題があった。又、雄ルアーがスリップタイプの場合には、雄ルアーのチップを医療用弁のハウジング内にしっかり挿入しないと、弾性体の弾発力により、雄ルアーのチップがハウジングから離脱する惧れもあった。
【０００９】
本発明はこのような従来の問題点に鑑みてなされたもので、雄ルアーのチップの内径が小である場合にも、雄ルアーを容易に接続できると共に、シール性を良好に保ちながらも、雄ルアーの接続時に、接続が固く感じられることもなく、しかも、雄ルアーがスリップタイプの場合でも、雄ルアーのチップがハウジングから離脱する惧れもない医療用弁を提供することを目的とする。
【００１０】
【課題を解決するための手段】
上記目的を達成するために、本発明の特徴とするところは、雄ルアーが分離可能に接続される医療用弁であって、上下両端が開口する中空状のハウジングと、弾性変形可能な弾性シールを有し、ハウジング内の上部が、雄ルアーのチップが挿脱自在に挿入される接続口とされ、ハウジング内における、接続口の下方に、下方に向かうに従って内径が大となる拡大部が設けられ、弾性シールは、イ．その上部を構成し、接続口内に嵌合されると共に、上端面に、上方及び径方向外方に開口する液体移送路が形成された封止部と、ロ．封止部の下方に配設され、下方に向かうに従って、外径及び内径が大となる中空状とされて、下端で開口すると共に、拡大部内に嵌合され、拡大部内面と密着して、拡大部を閉鎖し、拡大部との密着部に通過孔が貫通形成された膜部を有し、雄ルアーのチップにより、弾性シールの封止部が下方に押圧されて、弾性シールの膜部が下方に弾性変形し、膜部における、通過孔を含む上部側が拡大部から離間して、封止部の液体移送路が、拡大部の内部及び通過孔を介して、膜部の内部と連通する点にある。
又、封止部の液体移送路が、溝、又は、径方向に関して対向する一対の突起間とされることもある。
更に、雄ルアーが分離可能に接続される医療用弁であって、上下両端が開口する中空状のハウジングと、弾性変形可能な弾性シールを有し、ハウジング内の上部が、雄ルアーのチップが挿脱自在に挿入される接続口とされ、ハウジング内における、接続口の下方に、下方に向かうに従って内径が大となる拡大部が設けられ、ハウジングに、拡大部内に上下方向に配設される軸部が設けられ、弾性シールは、イ．その上部を構成し、下端で開口する中空状とされて、接続口内に嵌合されると共に、上端面に、スリット状の液体移送路が形成された封止部と、ロ．封止部の下方に配設され、下方に向かうに従って、外径が大となる中空状とされて、下端で開口し、拡大部内に嵌合されて、軸部を内有すると共に、拡大部内面と密着して、拡大部を閉鎖し、拡大部との密着部に通過孔が貫通形成された膜部を有し、雄ルアーのチップにより、弾性シールの封止部が下方に押圧されて、弾性シールの膜部が下方に弾性変形し、膜部における、通過孔を含む上部側が拡大部から離間すると共に、封止部が軸部に外嵌されて、封止部の上端部が軸部に押圧され、封止部の液体移送路が、上方及び径方向外方に開口すると共に、拡大部の内部及び通過孔を介して、膜部の内部と連通することもある。
又、封止部の上端部の下面の中央部に、・  下方に突出し、雄ルアーのチップによる封止部の押圧時に、軸部と当接して、封止部の上端部の中央部を相対的に押し上げる突起が形成されることもある。
更に、封止部が接続口内面と密着することもある。
又、弾性シールがゴム弾性材料から成ることもある。
更に、ハウジングは、・  その下部を構成し、上下両端が開口する中空状とされて、上端開口が拡大部内部と連通し、下端開口が液体回路に接続される接続体を有し、接続体内に、異物除去及び除菌作用を行なうフィルターが備えられることもある。
又、接続体内に、・  接続体を介しての液体移送前に、接続体内を閉鎖し、接続体を介しての液体移送時に、開放される閉鎖フィルムが備えられることもある。
更に、閉鎖フィルムが、フィルターよりも下方に配設されることもある。
【００１１】
【発明の実施の形態】
以下、本発明を混注プラグに適用した実施の形態の第１例を図１〜図３の図面に基づき説明すると、図１及び図３は混注プラグを示し、混注プラグは、ハウジング１と、弾性シール２から成る。
【００１２】
ハウジング１は、上下両端で開口する中空とされて、本体４と接続体５から成る。
【００１３】
本体４及び接続体５の構成材料としては、耐薬品性が良く、適度な硬さを有する樹脂材料が好ましく、例えば、ポリカーボネート樹脂、アクリル樹脂、硬質塩化ビニル樹脂、高密度ポリエチレン樹脂、ポリプロピレン樹脂、アクリルニトリル・ブタジエン・スチレンブロック共重合体樹脂、ポリアミド樹脂、ポリエチレンテレフタレート樹脂、ポリブチレンテレフタレート樹脂、ポリアセタール樹脂、フッ素樹脂、ポリフェニレンサルファイド樹脂、ポリエーテルサルフォン樹脂、ポリエーテルエーテルケトン樹脂、液晶ポリマー樹脂等が挙げられる。又、上記樹脂に、ガラス繊維又はグラファイト、無機フィラー、カーボンナノチューブ等を配合して、強度を強化したものを用いても良い。上記各種材料の内、ポリカーボネート樹脂、アクリル樹脂、ポリプロピレン樹脂、ポリエチレン樹脂、ポリブチレンテレフタレート等が好ましい。
【００１４】
本体４は、上下両端で開口する中空状とされて、上部が、雄ルアーが分離可能に接続される上流側（雄）連結部（（雄）継手手段、（雄）継手部）７とされ、外周面に雄螺子部８が形成されている。又、本体４の下端部には、径方向外方に突出するリング状のフランジ部９が形成されている。本体４の内部には、接続口１０、テーパー部１１、一定径部１２、拡大部１３が、上記の順で、下方に連設されている。接続口１０は、本体４内の上部を構成し、内径が（略）一定とされて、雄ルアーのチップが挿脱自在に挿入される。テーパー部１１は、上方に向かって、テーパー状とされ、一定径部１２は、上下方向に関して、内径が（略）一定とされている。拡大部１３は、下方に向かうに従って、内径が大となるもので（尚、拡大部１３と対応する外周面も、拡大部１３と対応する形状とされている。）、本例では、上方側に湾曲凸状となる湾曲面とされている。尚、拡大部１３を、円錐台の外周面形状としても良い。
【００１５】
接続体５は、中空状（図例では、略円筒状）とされて、下端で開口し、下端部が、液体回路、例えば、輸液バッグ、輸液ラインの途中、体外液体回路に接続されると共に、上端部の径方向中途部の貫通孔１５を介して、上端でも開口し、これにより、接続体５内部は本体４の拡大部１３内部とも連通している。接続体５の上端部には、径方向外方に突出するリング状のフランジ部１６が形成され、このフランジ部１６が、本体４のフランジ部９と、接着剤を介して、結合されることで、本体４と接続体５が一体化されている。接続体５の上端面の径方向中途部には、貫通孔１５の径方向外方に位置するリング状の突条部１７が形成されて、本体４の拡大部１３の下端部と径方向に関して対向している。接続体５の内面の上端部は、段付状に形成されて、下方に面状を呈する段付面１８とされている。
【００１６】
弾性シール２は、弾性変形可能とされて、封止部（栓部、第１シール部）２０と、膜部（シール部、第２シール部）２１を一体形成することで、構成されている。弾性シール２の構成材料としては、シール性及び弾性復元力がある材料が好ましく、例えば、天然ゴム、合成ポリイソプレンゴム、ブチルゴム、クロロプレンゴム、シリコーンゴム、ウレタンゴム、スチレンーブタジエンゴム、エチレンプロピレンゴム、アクリルゴム、フッ素ゴム、熱可塑性エラストマー等が挙げられる。この内、シリコーンゴム、合成ポリイソプレンゴム、熱可塑性エラストマー等が好ましい。
【００１７】
封止部２０は、弾性シール２の上部を構成し、下端で開口する中空状（本例では、略円筒状）とされており、封止部２０の上端部には、その下部よりも大径とされた大径部２３が形成され、下端部には、径方向外方に突出するリング状のフランジ部２４が形成されている。封止部２０は、接続口１０内に挿入され、大径部２３が接続口１０内面と密着して、接続口１０を実質的に閉鎖（閉塞）しており、大径部２３の上端面と本体４の上端面は（略）面一とされている。図２にも示すように、大径部２３の上端面には、上方及び径方向外方に開口する液体移送路（液体移送路）２５が形成されている。本例では、液体移送路２５は、断面半円形の溝とされているが、上方に突出する一対の突起（突条）間を液体移送路２５とすることもある。尚、液体移送路２５の深さは、例えば、大径部２３の肉厚の半分程度とされている。そして、雄ルアーにより封止部２０が下方に押圧されることで、弾性シール２の膜部２１が下方に弾性変形して、へこむと共に、封止部２０が本体４の拡大部１３内まで下降して、封止部２０の液体移送路２５が本体４の拡大部１３内と連通する
【００１８】
膜部２１は、封止部２０のフランジ部２４から下方に連設されており、上下両端で開口する中空状とされて、封止部２０内部と連通すると共に、下方に向かうに従って、外径及び内径が大となり、本体４の拡大部１３と対応している。膜部２１は、本例では、上方側に湾曲凸状となる湾曲面とされているが、膜部２１を円錐台の外周面形状としても良い。膜部２１は拡大部１３内に嵌合され、下端部が、拡大部１３の下端部と接続体５の突条部１７間に挿入（圧入）されて、固定され、拡大部１３内面と密着して、拡大部１３を閉鎖している。膜部２１の拡大部１３と密着する上部側には、内外を連通するための少なくとも一つの通過孔２７が貫通形成され、通常、この通過孔２７は拡大部１３内面により閉鎖されている。そして、雄ルアーによる封止部２０の押圧時に、膜部２１が下方に弾性変形して、へこみ、膜部２１における、通過孔２７を含む上部側が拡大部１３から離間する。
【００１９】
上記構成例では、混注プラグを介して、輸液、採血等を行なう場合には、混注プラグの上端面を消毒した後、例えば、図３に示すように、雄ルアーとして例示されるシリンジ２９のチップ３０を、ハウジング１の本体４の接続口１０内に上方から挿入する。
【００２０】
この際、図３の仮想線で示すように、シリンジ２９として、内面に雌螺子部が形成されたロック部材３１付きのものを使用し、このロック部材３１の雌螺子部を本体４の雄螺子部８に螺結すれば、シリンジ２９の上記挿入状態を確実に維持できる。
【００２１】
シリンジ２９のチップ３０の上記挿入により、弾性シール２３の封止部２０が下方に押圧され、弾性シール２の膜部２１が下方に弾性変形して、へこむと共に、封止部２０が本体４の拡大部１３内まで下降して、封止部２０の液体移送路２５が本体４の拡大部１３内と連通すると共に、膜部２１における、通過孔２７を含む上部側が拡大部１３から離間する。
【００２２】
これにより、図３の矢印で示すように、シリンジ２９内部が、封止部２０の液体移送路２５、本体４の拡大部１３の内部、通過孔２７、膜部２１の内部、貫通孔１５、接続体５内部を介して、液体回路と連通するので、輸液、採血等を従来同様に行なえる。
【００２３】
輸液、採血等が終了すれば、シリンジ２９のチップ３０をハウジング１の本体４の接続口１０内から抜去する。これによって、弾性シール２３の膜部２１の弾発力（弾性復元力）により、膜部２１の上部側が上方に膨れて、元の位置に戻り、本体４の拡大部１３と密着すると共に、通過孔２７が閉鎖される。これと同時に、封止部２０も上昇して、元の位置に戻り、本体４の接続口１０に挿入、嵌合されて、大径部２３が接続口１０と密着し、大径部２３の液体移送路２５と拡大部１３の連通が遮断されて、混注プラグは閉鎖状態となる。
【００２４】
上記構成例によれば、シリンジ２９のチップ３０に、従来のスパイク体等を挿入せず、チップ３０を本体４の接続口１０に単に挿入するだけにしたので、雄ルアーがガラス製シリンジ２９で、そのチップ３０がガラス製とされ、その内径が小の場合でも、シリンジ２９と混注プラグを容易に接続できる。
【００２５】
又、ハウジング１の接続体５側から接続口１０側に向かって、液体が高圧で逆流した場合でも、膜部２１の内部に液体の圧力が作用して、膜部２１を拡大部１３内面に押圧するので、通過孔２７が確実に閉塞され、シール性を良好に維持できる。それ故、弾性シール２の弾発力を、雄ルアーを混注プラグから分離した際における、膜部２１が元の位置に戻るだけの弾発力とできる。従って、雄ルアーにより、膜部２１を弾性変形させて、雄ルアーを混注プラグに接続した際に、接続が固く感じられることがないと共に、雄ルアーがスリップタイプの場合でも、雄ルアーのチップが接続口１０から離脱する惧れもない。
【００２６】
図４〜図６は本発明の実施の形態の第２例を示し、第１例の変形例であって、接続体５の上端面の中央部に、拡大部１３内に上下方向に配設される軸部３３が立設されている。又、図５に示すように、弾性シール２の封止部２０の大径部２３の上端面には、スリット状の液体移送路２５が形成されると共に、大径部２３の下面の中央部には、下方に突出する半球状の突起３４が一体形成されている。
【００２７】
上記構成例によれば、図６に示すように、雄ルアーとして例示されるシリンジ２９のチップ３０を、ハウジング１の本体４の接続口１０に挿入した際には、チップ３０により、弾性シール２の封止部２０が下方に押圧されて、弾性シール２の膜部２１が下方に弾性変形して、へこむと共に、封止部２０が拡大部１３内まで下降し、軸部３３に外嵌されて、封止部２０の大径部２３が軸部３３に押圧され、上端部の中央部が外周部側に対して相対的に押し上げられて、スリット状の液体移送路２５が上方及び径方向外方に良好に大きく開口する。
【００２８】
これにより、上記第１例と同様に、シリンジ２９内部が、封止部２０の液体移送路２５、本体４の拡大部１３、通過孔２７、膜部２１の内部、貫通孔１５、接続体５内部を介して、液体回路と連通する。
【００２９】
図７は本発明の実施の形態の第３例を示し、第２例の変形例であって、接続体５内の上端部に、異物除去及び除菌作用を行なうフィルター、又は、閉鎖フィルム等の内装体３６が配設、固定され、接続体５の段付面１８に当接している。
【００３０】
フィルターは、特に限定されず、例えば、メンブランタイプ、スクリーンタイプ、デプスタイプ、アニソトロピックタイプ等、通常、用いられる各タイプのフィルターが用いられる。上記の内、メンブランタイプのフィルターが特に好ましい。フィルターがメンブランタイプである場合、その孔径（目の粗さ）を、細菌の通過を阻止できる大きさである、０．０１μｍ〜１．０μｍとするのが好ましく、０．０１μｍ〜０．５μｍとするのがより好ましい。又、フィルターを形成する材料としては、酢酸セルロース、再生セルロース、セルロースエステル、ナイロン、ポリテトラフルオロエチレン、ポリスチレン、ポリカーボネート、アクリル系樹脂、ポリオレフィン、ポリビニリデンジフルオライド、ポリエーテルスルホン等が挙げられるが、これらに限定されるものではない。
【００３１】
閉鎖フィルムは、接続体５を介しての液体移送前に、接続体５内を閉鎖し、接続体５を介しての液体移送時に、開放されるもので、接続体５に圧入嵌合、又は、溶着することが好ましい。溶着方法としては、熱溶着、超音波溶着、高周波溶着等が考えられるが、異物の発生等を考慮すると、熱溶着が好適である。又、フィルムの材料は、耐薬品性を有し、接続体５と溶着できる材料、又は、嵌合できる樹脂であれば、特に限定されず、溶着する場合は、例えば、接続体５と相溶性を有しない樹脂とのポリマーブレンドが採用される。例えば、接続体５がポリエチレンで形成される場合、フィルムの材料としては、ポリエチレンとポリプロピレンのポリマーブレンドが好ましい。この場合、ポリエチレンとポリプロピレンとの混合比率は、３：７〜７：３が好ましい。
【００３２】
上記構成例のように、異物除去及び除菌作用を行なうフィルター、又は、閉鎖フィルム等の内装体３６を備えれば、万が一、雑菌が混注プラグの接続口１０から混入した場合にも、雑菌が薬液バッグ等の医療用液体回路に侵入する惧れを低減できる。又、混注プラグを薬液バッグに備えた場合に、閉鎖フィルムを混注プラグに備えておけば、薬液バックをオートクレーブ滅菌した際に、混注プラグのダメージを抑制できる。更に、上記の場合に、閉鎖フィルムが無いと、弾性シール２の成分が薬液内に溶出する可能性があるが、閉鎖フィルムを備えておけば、弾性シール２の溶出物の薬液内への混入も最低限に抑制できる。
【００３３】
図８は本発明の実施の形態の第４例を示し、第３例の変形例であって、接続体５内の上部に、異物除去及び除菌作用を行なうフィルター３８、固定部材３９、閉鎖フィルム４０が上記の順で配設されている。
【００３４】
固定部材３９は、接続体５に固着されて、フィルター３８を、接続体５の段付面１８との間で挟持固定している。固定部材３９は円盤状とされて、中央部に貫通孔４２が形成されている。固定部材３９は、接続体５と同一材質であることが好ましいが、耐薬品性が良く、接続体５と固着できる材質であれば、特に限定されない。
【００３５】
閉鎖フィルム４０は、固定部材３９の下面中央部に固着されて、固定部材３９の貫通孔４２を閉鎖している。
【００３６】
上記構成例によれば、接続体５を介しての液体移送前に、接続体５に接続された液体回路、例えば、薬液バッグの薬液等がフィルター３８に接触する惧れを無くすことができる。
【００３７】
尚、実施の形態は、本発明を混注プラグに適用したものであるが、本発明は、その他の医療用弁に適用可能である。
【００３８】
【発明の効果】
以上詳述したように、本発明によれば、雄ルアーのチップの内径が小である場合にも、雄ルアーを容易に接続できると共に、シール性を良好に保ちながらも、雄ルアーの接続時に、接続が固く感じられることもなく、しかも、雄ルアーがスリップタイプの場合でも、雄ルアーのチップがハウジングから離脱する惧れもない。
又、請求項４のように、封止部に突起を形成すれば、雄ルアーのチップをハウジングの接続口に挿入した際に、スリット状の液体移送路を上方及び径方向外方に良好に大きく開口させることができる。
更に、請求項５のように、封止部を接続口内面と密着させれば、弾性シールにより、２段のシールが可能となり、シール性を向上できる。
又、請求項７，８のように、接続体内に、異物除去及び除菌作用を行なうフィルター、又は、閉鎖フィルム等を備えれば、万が一、雑菌が医療用弁の接続口から混入した場合にも、雑菌が、医療用弁が備えられた液体回路に侵入する惧れを低減できる。又、医療用弁を薬液バッグに備えた場合に、閉鎖フィルムを医療用弁に備えておけば、薬液バックをオートクレーブ滅菌した際に、医療用弁のダメージを抑制できる。更に、上記の場合に、閉鎖フィルムが無いと、弾性シールの成分が薬液内に溶出する可能性があるが、閉鎖フィルムを備えておけば、弾性シールの溶出物の薬液内への混入も最低限に抑制できる。
更に、請求項９のように、閉鎖フィルムを、フィルターよりも下方に配設すれば、接続体を介しての液体移送前に、接続体に接続された液体回路内の薬液等がフィルターに接触する惧れを無くすことができる。
【図面の簡単な説明】
【図１】本発明の実施の形態の第１例を示す断面図である。
【図２】図１の弾性シールの封止部の平面図である。
【図３】図１の作動状態図である。
【図４】本発明の実施の形態の第２例を示す断面図である。
【図５】図４の弾性シールの封止部の平面図である。
【図６】図４の作動状態図である。
【図７】本発明の実施の形態の第３例を示す断面図である。
【図８】本発明の実施の形態の第４例を示す断面図である。
【符号の説明】
１  ハウジング
２  弾性シール
４  本体
５  接続体
１０  接続口
１３  拡大部
２０  封止部
２１  膜部
２５  液体移送路
２７  通過孔
２９  シリンジ（雄ルアー）
３０  チップ
３３  軸部
３４  突起
３６  内装体
３８  フィルター
４０  閉鎖フィルム
【図１】
2004275472.tif 000003
【図２】
2004275472.tif 000004
【図３】
2004275472.tif 000005
【図４】
2004275472.tif 000006
【図５】
2004275472.tif 000007
【図６】
2004275472.tif 000008
【図７】
2004275472.tif 000009
【図８】
2004275472.tif 000010